(57)【特許請求の範囲】
【請求項１】
第２の通信の待ち受け時に間欠起動して第２の通信の状態判定を行って、常時起動状態のデジタルレベル保持手段に該第２の通信の状態判定結果を書き込む第２の通信モジュールと、
第１の通信の待ち受け時に間欠起動して前記デジタルレベル保持手段の第２の通信の状態判定結果を読み取って表示部に表示する第１の通信モジュールと
を具備することを特徴とする携帯端末。
【請求項２】
第１の通信およびＵＩ処理を行う第１の通信モジュールと、第２の通信を行う第２の通信モジュールとを有する携帯端末であって、
前記第２の通信モジュールは、
第２の通信の待ち受け時の間欠起動および第２の通信の確定時の起動でウェイクアップして、第２の通信の状態判定および前記第１の通信モジュールとの間の通信手順を要するモジュール間通信を行う第２の通信ウェイクアップ動作部と、
前記ウェイクアップ状態の第２の通信ウェイクアップ動作部により前記第２の通信の状態判定結果を書き込まれる常時ウェイクアップ状態のデジタルレベル保持手段と
を有し、
前記第１の通信モジュールは、
第１の通信の待ち受け時の間欠起動および第１の通信の確定時の起動でウェイクアップして、前記デジタルレベル保持手段の第２の通信の状態判定結果を読み取って表示部に表示する機能および前記第２の通信モジュールとの間の前記モジュール間通信機能を行う第１の通信ウェイクアップ動作部と
を有することを特徴とする携帯端末。
【請求項３】
前記デジタルレベル保持手段は、出力ポート又はデュアルポートメモリであることを特徴とする請求項１又は２に記載の携帯端末。
【請求項４】
前記第２の通信モジュールが行う第２の通信の状態判定は、第２の通信の受信感度測定に基づく第２の通信の可否判定であることを特徴とする請求項１又は２に記載の携帯端末。
【請求項５】
前記第１の通信の待ち受け時の間欠起動と前記第２の通信の待ち受け時の間欠起動とは非同期に発生することを特徴とする請求項１又は２に記載の携帯端末。
【発明の詳細な説明】
【技術分野】
【０００１】
本発明の実施形態は、異なる形態の無線通信を同時に行う携帯端末に関する。
【背景技術】
【０００２】
携帯電話機（携帯端末）で音声通信とデータ通信の両無線通信を同時に行いたい要求があり、例えば、データ通信で大量のデータを送受信する場合などには時間がかかるので、データ通信の最中に、同時に音声通信の発着信を可能としたいなどの要求である。ユーザは、携帯電話機の表示部にデータ通信中のメールやブラウザを表示し、それを見ながら、音声通話をハンズフリー等で行なう。また、携帯電話機の筐体が表示部と通話部とが分離できる構造で、表示部を見ながら通話を行う。また、パソコンに携帯電話機をつないで、パソコン主体で、携帯電話機経由のメールやブラウザのデータ通信中に、携帯電話機で音声通話を行うなどである。
【０００３】
携帯電話機の無線データ通信として、移動通信網、無線ＬＡＮ、ブルートゥース（Ｒ）等がある。この中では、移動通信網は利用エリアが格別に広く、ユーザが利用しやすい。移動通信網の内、ＣＤＭＡ２０００では、音声通信用の１Ｘサービスと、高速のデータ通信用の１ｘＥＶ−ＤＯ（Evolution-Data Only）サービスがある。
【０００４】
１Ｘサービスと１ｘＥＶ−ＤＯサービスは、それぞれ独立したサービスであり、それぞれの無線周波数やプロトコルは異なる。移動通信網の基地局は、１Ｘサービスのみの基地局や両サービスを備える基地局がある。基地局は、１Ｘサービスと１ｘＥＶ−ＤＯサービスそれぞれの独立したページング信号を周期的に送出しており、両者は非同期である。
【０００５】
携帯電話機は、音声通信とデータ通信を同時に行うためには、待ち受け中は、１Ｘのページング信号に同期を取って間欠待ち受けを行う処理と、１ｘＥＶ−ＤＯのページング信号に同期を取って間欠待ち受けを行う処理の両方を並行して実行することになる。したがって、１Ｘの間欠待ち受けでウェイクアップするタイミングと、１ｘＥＶ−ＤＯの間欠待ち受けでウェイクアップするタイミングとは非同期である。
【０００６】
携帯電話機において、音声通信とデータ通信を別々のプロセッサで行う構成を考えた場合、プロセッサ間で制御コマンドや制御データのやり取りを行う必要があるが、待ち受け中は、上記したように、それぞれのプロセッサのウェイクアップのタイミングが異なっており、一方がウェイクアップ中でも他方はスリープ中となる。したがって、間欠待ち受けでのウェイクアップとは別に、プロセッサ間のインターフェースのためにウェイクアップする必要があり、この分、消費電力が増えるという問題がある。
【０００７】
この音声通信とデータ通信は、移動通信網のＣＤＭＡ２０００の音声通信用の１Ｘサービスとデータ通信用の１ｘＥＶ−ＤＯサービスのように、それぞれ独立して非同期の待ち受け制御を行う場合であるが、これに限らず、独立して非同期の待ち受け制御を行う通信方式であれば同様の問題がある。
【先行技術文献】
【特許文献】
【０００８】
【特許文献１】特開２００８−２６３３６４号公報（頁３〜６、図４、図５、図７）
【発明の概要】
【発明が解決しようとする課題】
【０００９】
第１の通信を行う通信モジュールと第２の通信を行う通信モジュールとの間のインターフェースの消費電力を低減することができる携帯端末を提供することを目的とする。
【課題を解決するための手段】
【００１０】
上記目的を達成するために、実施形態の携帯端末は、第２の通信の待ち受け時に間欠起動して第２の通信の状態判定を行って、常時起動状態のデジタルレベル保持手段に該第２の通信の状態判定結果を書き込む第２の通信モジュールと、第１の通信の待ち受け時に間欠起動して前記デジタルレベル保持手段の第２の通信の状態判定結果を読み取って表示部に表示する第１の通信モジュールとを具備することを特徴とする。
【図面の簡単な説明】
【００１１】
【図１】本発明の各実施例に係る音声通信とデータ通信のシステム図。
【図２】本発明の実施例１に係る携帯電話機１００の関連部分のブロック図。
【図３】本発明の実施例１に係る携帯電話機１００の待ち受け中のタイミング図。
【図４】本発明の実施例１に係る携帯電話機１００の間欠待ち受け時の動作フローチャート。
【図５】本発明の実施例２に係る携帯電話機１００の関連部分のブロック図。
【発明を実施するための形態】
【００１２】
図１は、本発明の各実施例に係る音声通信とデータ通信のシステム図であり、移動通信網のＣＤＭＡ２０００の例である。音声通信は１Ｘサービス、データ通信は高速の１ｘＥＶ−ＤＯサービスである。
【００１３】
携帯電話機１００（携帯端末）は、音声通信モジュール１０（１Ｘ音声通信）とデータ通信モジュール３０（１ｘＥＶ−ＤＯデータ通信）を有する。データ通信の送受データは、携帯電話機１００単体で処理されるデータであってもよいし、パーソナルコンピュータ２００（以下、パソコンと称する）のデータを携帯電話機１００経由で処理するデータであってもよい。
【００１４】
基地局３００は、１Ｘサービスと１ｘＥＶ−ＤＯサービスの両方を備えるものや、１Ｘサービスのみのものがある。両方を備える基地局であっても、１Ｘサービスと１ｘＥＶ−ＤＯサービスは、それぞれ独立したサービスであり、それぞれの無線周波数やプロトコルは異なり、それぞれの独立したページング信号を周期的に送出しており、両者は非同期である。また、携帯電話機１００から見た受信電界強度等の電波環境は異なる。
【００１５】
基地局３００の１Ｘサービスは、回線網４００を経て、様々な電話機５００とつながり、携帯電話機１００は、電話機５００との間で音声通話を行う。基地局３００の１ｘＥＶ−ＤＯサービスは、パケット網６００を経て、インターネット７００とつながり、携帯電話機１００は、インターネットのデータ通信を行う。
【００１６】
携帯電話機１００は、音声通信とデータ通信を同時に行うためには、待ち受け中は、１Ｘのページング信号に同期を取って間欠待ち受けを行う処理と、１ｘＥＶ−ＤＯのページング信号に同期を取って間欠待ち受けを行う処理の両方を並行して実行する。
【実施例１】
【００１７】
図２は、本発明の実施例１に係る携帯電話機１００の関連部分のブロック図である。携帯電話機１００は、音声通信モジュール１０（第１の通信モジュール）とデータ通信モジュール３０（第２の通信モジュール）を有する。音声通信モジュール１０は、１Ｘ音声通信とユーザインターフェースのＵＩ処理を主に行う部分である。データ通信モジュール３０は、１ｘＥＶ−ＤＯデータ通信を主に行う部分である。
【００１８】
両通信モジュール間は、ＵＳＢ又はＵＡＲＴ等のような通信手順を要する第１のインターフェースと、入出力ポートのようなデジタル信号のＨ／Ｌレベルを伝送するだけの第２のインターフェースの両方でつながる。
【００１９】
［音声通信モジュール１０］
音声通信モジュール１０は、ウェイクアップ動作部１１、システムタイミング維持部１９、表示部２０、操作入力部２１、スピーカ２２、マイク２３等から構成される。
【００２０】
ウェイクアップ動作部１１は、ウェイクアップ／スリープ制御を受ける部分であり、例えば、１Ｘサービスの待ち受け時に間欠起動される。また、１Ｘサービスの音声通信確定時に常時起動される。また、ＵＩ処理が必要なときに常時起動される。
【００２１】
ウェイクアップ動作部１１は、アンテナ１２、ＲＦ１３、１Ｘ送受信部１４、制御部１５、ＵＳＢ１６、入力ポート１７、ＵＳＢ１８等を有する。
【００２２】
制御部１５は、不図示のＣＰＵ、ＲＯＭ、ＲＡＭ等を有し、ＲＯＭに記憶されているソフトウェアに基づいて、１Ｘ音声通信の処理、第１のインターフェースのＵＳＢ等の通信手順に則った処理、第２のインターフェースの読み込みなどを行う。また、表示部２０、操作入力部２１、スピーカ２２、マイクロホン２３等のＵＩ処理を行う。また、外部機器のパソコン２００とのインターフェースであるＵＳＢ１８の制御等を行う。
【００２３】
ＵＳＢ１６は、データ通信モジュール３０との間の第１のインターフェースとして、ＵＳＢやＵＡＲＴ等のデータ伝送インターフェースであり、所定の通信手順を必要とし、制御部１５により通信手順の制御を受けて、大量のデータを伝送する。
【００２４】
入力ポート１７は、データ通信モジュール３０との間の第２のインターフェースとして、データ通信モジュール３０側のデータ通信可否信号のポートである。制御部１５に入力ポートが内蔵されていればそれでもよい。
【００２５】
システムタイミング維持部１９は、１Ｘ送受信部１４の一部であるが、ウェイクアップ／スリープ状態が別なので、分けて記載する。携帯電話機１００の電源がオンになると、ウェイクアップ状態の１Ｘ送受信部１４は、１Ｘサービスセルとの接続のために、１Ｘ無線信号のＲＳＳＩ測定、１Ｘセルサーチ、および１Ｘシステムタイミング確立などの１Ｘ初期捕捉動作を行い、１Ｘシステムタイミングを常時電源オン状態のシステムタイミング維持部１９で維持する。
【００２６】
そして、捕捉できた１Ｘサービスセルとの間で、１Ｘ待ち受け状態に入り、ウェイクアップ動作部１１はスリープ状態になる。１Ｘ待ち受け状態では、１Ｘサービスセルから送信される当該携帯電話機１００への着信呼出しの待ち受けを行う。１Ｘ待ち受け状態では、常時電源オン状態のシステムタイミング維持部１９は、１Ｘサービスセルが送信するページング信号のタイミングに同期の取れた間欠起動信号１９ａを例えば、５．１２秒周期で出して、ウェイクアップ動作部１１を間欠起動する。これにより、電池の使用時間をセーブする。
【００２７】
［データ通信モジュール３０］
データ通信モジュール３０は、ウェイクアップ動作部３１、出力ポート３７、システムタイミング維持部３８等から構成される。
【００２８】
ウェイクアップ動作部３１は、上記ウェイクアップ動作部１１とは独立したウェイクアップ／スリープ制御を受ける部分であり、１ＸＥＶ−ＤＯサービスの待ち受け時に間欠起動される。また、１ＸＥＶ−ＤＯサービスのデータ通信確定時に常時起動される。
【００２９】
ウェイクアップ動作部３１は、アンテナ３２、ＲＦ３３、１ＸＥＶ−ＤＯ送受信部３４、制御部３５、ＵＳＢ３６等を有する。
【００３０】
制御部３５は、不図示のＣＰＵ、ＲＯＭ、ＲＡＭ等を有し、ＲＯＭに記憶されているソフトウェアに基づいて、１ＸＥＶ−ＤＯデータ通信の処理、第１のインターフェースのＵＳＢ等の通信手順に則った処理、第２のインターフェースの出力などを行う。
【００３１】
ＵＳＢ３６は、音声通信モジュール１０との間の第１のインターフェースとして、ＵＳＢやＵＡＲＴ等のデータ伝送インターフェースであり、所定の通信手順を必要とし、制御部３５により通信手順の制御を受けて、大量のデータを伝送する。
【００３２】
出力ポート３７は、音声通信モジュール１０との間の第２のインターフェースとして、データ通信モジュール３０側のデータ通信可否信号を送出するポートである。出力ポート１７は、携帯電話機１００の電源が入っている状態では、常時電源ＯＮ状態で動作する。
【００３３】
システムタイミング維持部３８は、１ＸＥＶ−ＤＯ送受信部３４の一部であるが、ウェイクアップ／スリープ状態が別なので、分けて記載する。携帯電話機１００の電源がオンになると、ウェイクアップ状態の１ＸＥＶ−ＤＯ送受信部３４は、１ＸＥＶ−ＤＯサービスセルとの接続のために、１ＸＥＶ−ＤＯ無線信号のＲＳＳＩ測定、１ＸＥＶ−ＤＯセルサーチ、および１ＸＥＶ−ＤＯシステムタイミング確立などの１ＸＥＶ−ＤＯ初期捕捉動作を行い、１ＸＥＶ−ＤＯシステムタイミングを常時電源オン状態のシステムタイミング維持部３８で維持する。
【００３４】
そして、捕捉できた１ＸＥＶ−ＤＯサービスセルとの間で、１ＸＥＶ−ＤＯ待ち受け状態に入り、ウェイクアップ動作部３１はスリープ状態になる。１ＸＥＶ−ＤＯ待ち受け状態では、１ＸＥＶ−ＤＯサービスセルから送信される当該携帯電話機１００への着信呼出しの待ち受けを行う。１ＸＥＶ−ＤＯ待ち受け状態では、常時電源オン状態のシステムタイミング維持部３８は、１ＸＥＶ−ＤＯサービスセルが送信するページング信号のタイミングに同期の取れた間欠起動信号３８ａを例えば、５．１２秒周期で出して、ウェイクアップ動作部３１を間欠起動する。これにより、電池の使用時間をセーブする。
【００３５】
［通信モジュール間インターフェース］
第１のインターフェースは、ＵＳＢ又はＵＡＲＴ等のような通信手順を要するインターフェースであり、制御部１５および制御部３５の制御により、大量のデータを送受する。例えば、データ通信モジュール３０のデータ通信が確定して、ウェイクアップ動作部３１およびウェイクアップ動作部１１がウェイクアップし、データ通信モジュール３０がインターネットのブラウザのデータをダウンロードして、音声通信モジュール１０の表示部２０に表示したり、音声通信モジュール１０側のデータをデータ通信モジュール３０を介してインターネットへアップロードする。
【００３６】
また、データ通信モジュール３０がインターネットのブラウザのデータをダウンロードし、第１のインターフェースと音声通信モジュール１０を介してパソコン２００へ送信するなどである。また、その逆方向のアップロードなどである。
【００３７】
第２のインターフェースは、入出力ポートのようなデジタル信号のＨ／Ｌレベルを伝達するだけのインターフェースである。ウェイクアップ動作部３１は、１ＸＥＶ−ＤＯサービスの受信電界強度を測定し、それに基づいてデータ通信可否判定を行い、データ通信可否信号３５ａを１個の出力ポート３７に出力する。ウェイクアップ動作部３１がスリープ状態になっても、常時電源ＯＮの出力ポートには、データ通信可否信号が保持されている。それをウェイクアップ動作部１１は、任意のタイミングで入力ポート１７を介して読み取り、表示部２０に表示する。出力ポート３７は常時電源ＯＮでもきわめて消費電力は小さい。
【００３８】
なお、１個の出力ポート３７を設けたが、例えば２個の出力ポート（２ビット）を備えれば、１ＸＥＶ−ＤＯサービスの受信電界強度を４段階（２ビットの２乗）で、表示部２０に表示することができる。
【００３９】
第２のインターフェースは、データ通信可否信号や１ＸＥＶ−ＤＯサービスの受信電界強度情報等の数ビットの情報伝達用である。これらの情報は、もちろん、第１のインターフェースを用いて通信モジュール間で伝送することができるが、そのためには、ウェイクアップ動作部１１とウェイクアップ動作部３１をウェイクアップさせて、通信手順に則って処理時間をかけて制御する必要があり、消費電力が大きい。
【００４０】
待ち受け中のデータ通信可否状態を、出力ポート３７で伝送する場合とＵＳＢで伝送する場合の消費電力の違いについて次に説明する。  
図３は、本発明の実施例１に係る携帯電話機１００の待ち受け中のタイミング図である。（Ａ）は通信モジュール間をＵＳＢでデータ通信可否信号を伝送する場合である。（Ｂ）は通信モジュール間を入出力ポートでデータ通信可否信号を伝送する場合であり、本発明の実施例１である。
【００４１】
待ち受けのための間欠起動タイミングの関係および間欠起動で行う処理は従来行われているとおりであり、（Ａ）、（Ｂ）共に同じである。音声通信モジュール１０のウェイクアップ動作部１１は、１Ｘサービスの基地局からのページング信号に同期を取って、例えば、５．１２秒周期で間欠起動し、１Ｘサービスの受信電界強度測定と音声通信可否判定を行い、音声通信呼び出しの有無をチェックしている。
【００４２】
データ通信モジュール３０のウェイクアップ動作部３１も、１ＸＥＶ−ＤＯサービスの基地局からのページング信号に同期を取って、例えば、５．１２秒周期で間欠起動し、１ＸＥＶ−ＤＯサービスの受信電界強度測定を行ってデータ通信可否判定を行い、データ通信呼び出しの有無をチェックしている。
【００４３】
両サービスのページング信号のタイミングは非同期であり、したがって、両通信モジュールの間欠起動のタイミングも非同期であり、音声通信モジュール１０が間欠起動でウェイクアップしているタイミングで、データ通信モジュール３０はスリープ状態にある。
【００４４】
（Ａ）のＵＳＢの場合、待ち受け間欠起動でウェイクアップした音声通信モジュール１０は、データ通信モジュール３０の本来の待ち受け間欠起動のタイミングとは別に、ハッチングで示すように、データ通信モジュール３０をウェイクアップさせて、ＵＳＢでデータ通信可否状態を受け取る必要がある。このハッチング部分の電流は大きく、また、ＵＳＢ手順を実行するので、その時間幅も結構必要とする。
【００４５】
（Ｂ）の入出力ポートの場合、データ通信モジュール３０は本来の待ち受け間欠起動のタイミングで行ったデータ通信可否判定結果を、常時電源ＯＮの出力ポート３７に書き込む処理を行う。待ち受け間欠起動でウェイクアップした音声通信モジュール１０は、この出力ポート３７のデータ通信可否判定信号を読み取ればよい。出力ポート３７は、ハッチングで示すように常時電源ＯＮ状態であるが、その消費電力はきわめて小さい。
【００４６】
（Ａ）と（Ｂ）の消費電力量を比較すると、ハッチング部分の面積の比較であり、（Ａ）の平均消費電力は、ハッチング部のピーク電力×ハッチング部の時間幅Ｔ／５．１２秒周期であり、ハッチング部の時間幅Ｔ／５．１２秒周期のデューティで平均化されるが、ピーク電力が極めて大きいため、（Ｂ）の平均消費電力よりも大きくなってしまう。（Ｂ）の平均消費電力は、ハッチング部のピーク電力そのままであるが、出力ポートのピーク電力は極めて小さく、（Ａ）の平均消費電力よりも小さくすることができる。
【００４７】
次に、（Ｂ）の実施例１における間欠待ち受け時の動作フローチャートについて説明する。  
図４は、本発明の実施例１に係る携帯電話機１００の間欠待ち受け時の動作フローチャートである。データ通信モジュール３０と音声通信モジュール１０それぞれの間欠待ち受け時の動作である。
【００４８】
データ通信モジュール３０は、１ＸＥＶ−ＤＯサービスの間欠待ち受けのタイミングで間欠起動される。起動されたデータ通信モジュール３０は、１ＸＥＶ−ＤＯサービスの受信電界強度を測定して読み出す（ステップＳ３１）。そして、その大きさにより、データ通信可否判定を行う（ステップＳ３２）。このデータ通信可否判定結果を常時電源ＯＮの出力ポート３７に出力する（ステップＳ３３）。
【００４９】
次に、データ通信モジュール３０は、本来の待ち受け処理であるデータ通信呼び出しの有無のチェックを行い（ステップＳ３４）、当該携帯電話機１００への呼び出しがなければ、自身を再びスリープ状態にして（ステップＳ３５）、次の間欠起動を待つ。このスリープ中も、ステップＳ３３で出力された出力ポート３７のデータ通信可否判定結果は保持されている。
【００５０】
ステップＳ３４で呼び出しがあれば、ウェイクアップを継続して、データ通信処理に入る（ステップＳ３６）。
【００５１】
一方、音声通信モジュール１０は、１Ｘサービスの間欠待ち受けのタイミングやその他の要因により起動される。その他の要因としては、ユーザによるキー操作やアラーム発生等である。起動された音声通信モジュール１０は、待ち受けのシステムタイミングを維持しているシステムタイミング維持部１９からの起動かどうかをチェックし（ステップＳ１１）、その他の要因であれば、ウェイクアップを継続して、それぞれの起動要因に対応した処理を行う（ステップＳ１７）。
【００５２】
ステップＳ１１でシステムタイミング維持部１９からの起動であれば、出力ポート３７につながる入力ポート１７を読み込んで（ステップＳ１２）、データ通信可否を表示部２０にピクトで表示する（ステップＳ１３）。
【００５３】
次に、音声通信モジュール１０は、本来の待ち受け処理である音声通信呼び出しの有無のチェックを行い（ステップＳ１４）、当該携帯電話機１００への呼び出しがなければ、自身を再びスリープ状態にして（ステップＳ１５）、次の間欠起動を待つ。
【００５４】
ステップＳ１４で呼び出しがあれば、ウェイクアップを継続して、音声通話処理に入る（ステップＳ１６）。
【００５５】
以上説明した実施例１によれば、音声通信モジュールとデータ通信モジュール間のインターフェースの消費電力を低減することができる。
【実施例２】
【００５６】
図５は、本発明の実施例２に係る携帯電話機１００の関連部分のブロック図である。実施例１（図２）との相違点は、通信モジュール間の第２のインターフェース部分のみであり、その部分についてのみ説明する。
【００５７】
実施例１（図２）では、通信モジュール間の第２のインターフェースとして、出力ポート３７（常時電源ＯＮ）と入力ポート１７を設けたが、実施例２（図５）では、その替わりに、常時電源ＯＮのデュアルポートメモリ４０を設ける。
【００５８】
そして、データ通信モジュール３０のウェイクアップ動作部３１は、データ通信可否をデュアルポートメモリ４０に書き込み、音声通信モジュール１０のウェイクアップ動作部１１は、デュアルポートメモリ４０を直接読み込んで、データ通信可否を表示部２０に表示する。
【００５９】
デュアルポートメモリ４０もメモリ容量の小さいものであれば、消費電力は十分に小さく、特別な通信手順も不要である。  
したがって、実施例２によれば、実施例１と同様な効果を得ることができる。
【００６０】
本発明の各実施例では、ＣＤＭＡ２０００の音声通信用の１Ｘサービスとデータ通信用の１ｘＥＶ−ＤＯサービスを例としたが、間欠待ち受けを行う異なる形態のデュアル通信を行う携帯端末にも適用できる。
【００６１】
また、音声通信モジュール１０側にＵＩ処理部分を備えたが、データ通信モジュール３０側にＵＩ処理部分を設けて、通信モジュール間の第２のインターフェースの信号の方向を逆にしてもよい。
【００６２】
また、通信モジュール間の第２のインターフェースで伝送する信号は、データ通信可否信号に限らず、他の信号であってもよい。
【００６３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
１０  音声通信モジュール
１１  ウェイクアップ動作部
１２  アンテナ
１３  ＲＦ
１４  １Ｘ送受信部
１５  制御部
１６  ＵＳＢ
１７  入力ポート
１８  ＵＳＢ
１９  システムタイミング維持部
２０  表示部
２１  操作入力部
２２  スピーカ
２３  マイク
３０  データ通信モジュール
３１  ウェイクアップ動作部
３２  アンテナ
３３  ＲＦ
３４  １ＸＥＶ−ＤＯ送受信部
３５  制御部
３６  ＵＳＢ
３７  出力ポート
３８  システムタイミング維持部
４０  デュアルポートメモリ
１００  携帯電話機
２００  パーソナルコンピュータ
３００  基地局
４００  回線網
５００  電話機
６００  パケット網
７００  インターネット
【図１】
0005445390.tif 000002
【図２】
0005445390.tif 000003
【図３】
0005445390.tif 000004
【図４】
0005445390.tif 000005
【図５】
0005445390.tif 000006